(57)【要約】【課題】単一の駆動源で複数のクラッチの操作が可能となるクラッチ機構の提供。【解決手段】駆動側カムクラッチ板１０と、駆動側カムクラッチ板１０に対して軸方向に並べて設置された従動側カムクラッチ板２０，６０と、駆動側カムクラッチ板１０と従動側カムクラッチ板２０，６０との間に挟持されたカム２７，６７と、従動側カムクラッチ板２０，６０に連動して軸方向に移動するクラッチピストン３０，７０とを備え、カム２７，６７は、駆動側カムクラッチ板１０の側面１０ａ，１０ｂに形成した回転方向に沿って傾斜する傾斜面１３ａ，１５ａに接しており、駆動側カムクラッチ板１０の回動によって、カム２７，６７が傾斜面１３ａ，１５ａ上を転動することで、従動側カムクラッチ板２０，６０及びクラッチピストン３０，７０が軸方向に移動して、クラッチ４０，８０の締結・解放が切り替わるように構成した。【選択図】図１
2011169374.tif 000002
【特許請求の範囲】
【請求項１】
軸周りに回動可能に設置した駆動側カムクラッチ板と、
前記駆動側カムクラッチ板を回動させるための駆動源と、
該駆動源の駆動力を前記駆動側カムクラッチ板に伝達するための伝達機構と、
前記駆動側カムクラッチ板の軸方向の両側それぞれに配置された第１、第２クラッチ機構と、を備え、
前記第１クラッチ機構は、
前記駆動側カムクラッチ板の一方の側面に対向して設置した軸方向に移動可能な第１従動側カムクラッチ板と、
前記駆動側カムクラッチ板と前記第１従動側カムクラッチ板との間に挟持された第１カムと、
前記第１従動側カムクラッチ板に連動して軸方向に移動する第１クラッチピストンと、前記第１クラッチピストンの作動によって締結・解放される第１クラッチとで構成されており、
前記第２クラッチ機構は、
前記駆動側カムクラッチ板の他方の側面に対向して設置した軸方向に移動可能な第２従動側カムクラッチ板と、
前記駆動側カムクラッチ板と前記第２従動側カムクラッチ板との間に挟持された第２カムと、
前記第２従動側カムクラッチ板に連動して前記軸方向に移動する第２クラッチピストンと、前記第２クラッチピストンの作動によって締結・解放される第２クラッチとで構成されており、
前記第１、第２カムは、前記駆動側カムクラッチ板の側面と前記第１、第２従動側カムクラッチ板の側面との少なくともいずれかに形成した回転方向に沿って傾斜する傾斜面に接しており、
前記駆動側カムクラッチ板が一方に回動すると、前記第１カムが前記傾斜面上を転動して、前記第１クラッチ機構の前記第１クラッチが締結する一方、前記駆動側カムクラッチ板（１０）が他方に回動すると、前記第２カムが前記傾斜面上を転動して、前記第２クラッチ機構の前記第２クラッチが締結するように構成した
ことを特徴とするクラッチ機構。
【請求項２】
前記駆動源は、単一の電動モータであり、
前記伝達機構は、前記電動モータの駆動で回転するネジ軸と、該ネジ軸の回転によって進退移動するラックと、前記駆動側カムクラッチ板の外周に形成されて前記ラックに噛合するギヤと、を備える
ことを特徴とする請求項１に記載のクラッチ機構。
【請求項３】
前記駆動源は、単一の電動モータであり、
前記伝達機構は、前記電動モータの駆動で回転するウォームと、前記駆動側カムクラッチ板の外周に形成されて前記ウォームと噛合するウォームホイールと、を備える
ことを特徴とする請求項１に記載のクラッチ機構。
【請求項４】
前記第１、第２カムは、前記傾斜面を転動する球状体である
ことを特徴とする請求項１乃至３のいずれかに記載のクラッチ機構。
【請求項５】
前記駆動側カムクラッチ板の側面又は前記第１従動側カムクラッチ板の側面には、前記第１カムを係止するための第１係止部が形成されており、
前記第１従動側カムクラッチ板及び前記第１クラッチピストンが前記第１クラッチ側に移動した位置で、前記第１カムが前記第１係止部に係止されることで、前記第１クラッチの締結が維持されると共に、
前記駆動側カムクラッチ板の側面又は前記第２従動側カムクラッチ板の側面には、前記第２カムを係止するための係止部が形成されており、
前記第２従動側カムクラッチ板及び前記第２クラッチピストンが前記第２クラッチ側に移動した位置で、前記第２カムが前記第２係止部に係止されることで、前記第２クラッチの締結が維持されるように構成した
ことを特徴とする請求項１乃至４のいずれかに記載のクラッチ機構。
【発明の詳細な説明】
【技術分野】
【０００１】
本発明は、車両の変速機などが備えるクラッチ機構に関し、詳細には、電動モータなどの駆動源によって駆動されるクラッチピストンの作動によって、クラッチの締結・解放の切り替えを行うように構成したクラッチ機構に関する。
【背景技術】
【０００２】
モータなどの駆動源によって駆動されるクラッチピストンの作動によってクラッチの締結・解放を切り替えるクラッチ機構として、同軸上に配置された２つのクラッチを備えるツインクラッチ装置がある。このようなツインクラッチ装置として、例えば特許文献１に示すように、２つのクラッチそれぞれに対応した個別の電動モータを備えるツインクラッチ装置が提案されている。特許文献１のツインクラッチ装置では、それぞれのクラッチに個別の電動モータを備えているため、部品点数が多くなり、コスト増、構造の複雑化、大型化が懸念される。
【０００３】
特許文献１の課題に鑑みて、特許文献２では、一本のカムシャフトを利用して２つのクラッチの締結・解放を切り替えるツインクラッチ装置が提案されている。このツインクラッチ装置は、単一のカムシャフトに取り付けたカムで複数のクラッチピストンを操作するように構成している。したがって、二つのクラッチを操作するための駆動源として、カムシャフトを回動駆動する単一のモータ（アクチュエータ）を備えていればよい。これにより、クラッチ装置の部品点数の削減、構成の簡素化を図ることができる。
【先行技術文献】
【特許文献】
【０００４】
【特許文献１】欧州特許出願公開第１４００７１５号公報
【特許文献２】特開２００７−１７７９０８号公報
【発明の開示】
【発明が解決しようとする課題】
【０００５】
しかしながら、特許文献２のクラッチ装置では、カムシャフトに取り付けたカムでクラッチピストンを押圧するように構成しているため、下記の点が問題となる。
（１）カムの回転に伴い、クラッチピストンに対する押圧荷重が変化する。そのため、クラッチピストンを一定の荷重で押圧するには、モータトルクの綿密な制御が必要となる。
（２）モータの駆動力をカムシャフト及びカムを介してクラッチピストンに伝える伝達経路では、倍力効果を生じる箇所が少ない。したがって、比較的大きなモータトルクが必要となる。そのため、大型のモータあるいは大きな減速比が得られる減速機構が必要となる。
（３）クラッチの締結状態を維持するためには、クラッチピストンに対する押圧状態を継続する必要がある。しかしながら、カムでクラッチピストンを押圧する構成では、クラッチピストンに対する押圧状態を維持するには、モータへの電力供給を継続する必要がある。そのため、電力消費量及び燃費の改善の妨げになるおそれがある。
（４）クラッチピストンからの反力がカムシャフトの径方向（シャフトを撓ませる方向）に作用する。したがって、カムシャフトの撓みを防止するために、カムシャフトの径を太くする必要があり、変速機の重量増につながる懸念がある。
【０００６】
本発明は上述の点に鑑みてなされたものであり、部品点数を少なく抑えた簡単な構成でありながら、クラッチピストンに適切な押圧荷重を付与することで、クラッチの適切な操作が行えると共に、単一の駆動源で複数のクラッチの操作が可能となるクラッチ機構の提供を目的とする。
【課題を解決するための手段】
【０００７】
上記課題を解決するため、本発明にかかるクラッチ機構は、軸（１０２）周りに回動可能に設置した駆動側カムクラッチ板（１０）と、駆動側カムクラッチ板（１０）を回動させるための駆動源（９０）と、該駆動源（９０）の駆動力を駆動側カムクラッチ板（１０）に伝達するための伝達機構（９３）と、駆動側カムクラッチ板（１０）の軸方向の両側それぞれに配置された第１、第２クラッチ機構（１ａ，１ｂ）と、を備え、第１クラッチ機構（１ａ）は、駆動側カムクラッチ板（１０）の一方の側面（１０ａ）に対向して設置した軸方向に移動可能な第１従動側カムクラッチ板（２０）と、駆動側カムクラッチ板（１０）と第１従動側カムクラッチ板（２０）との間に挟持された第１カム（２６）と、第１従動側カムクラッチ板（２０）に連動して軸方向に移動する第１クラッチピストン（３０）と、第１クラッチピストン（３０）の作動によって締結・解放される第１クラッチ（４０）とで構成されており、第２クラッチ機構（１ｂ）は、駆動側カムクラッチ板（１０）の他方の側面（１０ｂ）に対向して設置した軸方向に移動可能な第２従動側カムクラッチ板（６０）と、駆動側カムクラッチ板（１０）と第２従動側カムクラッチ板（６０）との間に挟持された第２カム（６７）と、第２従動側カムクラッチ板（６０）に連動して軸方向に移動する第２クラッチピストン（７０）と、第２クラッチピストン（７０）の作動によって締結・解放される第２クラッチ（８０）とで構成されており、第１、第２カム（２７，６７）は、駆動側カムクラッチ板（１０）の側面（１０ａ，１０ｂ）と第１、第２従動側カムクラッチ板（２０，６０）の側面（２０ａ，６０ａ）との少なくともいずれかに形成した回転方向に沿って傾斜する傾斜面（１３ａ，１５ａ）に接しており、駆動側カムクラッチ板（１０）が一方に回動すると、第１カム（２７）が傾斜面（１３ａ）上を転動して、第１クラッチ機構（１ａ）の第１クラッチ（４０）が締結する一方、駆動側カムクラッチ板（１０）が他方に回動すると、第２カム（６７）が傾斜面（１５ａ）上を転動して、第２クラッチ機構（１ｂ）の第２クラッチ（８０）が締結するように構成したことを特徴とする。
【０００８】
本発明にかかるクラッチ機構によれば、駆動側カムクラッチ板及び従動側カムクラッチ板とそれらの間に挟持されたカムとで構成されるカムクラッチを備えたことで、駆動源の駆動力で駆動側カムクラッチ板を回動させれば、クラッチの締結・解放の操作が行える。また、駆動側カムクラッチ板又は従動側カムクラッチ板に形成した傾斜面により、駆動源の駆動力を倍力してクラッチピストン側に伝達することが可能となる。したがって、部品点数を少なく抑えた簡単な構成でありながら、クラッチピストンに適切な押圧荷重を付与することができ、クラッチの操作が良好に行えるようになる。また、クラッチの締結・解放に必要な駆動源の駆動トルクを小さく抑えることができるので、電力消費量の削減、燃費向上に寄与できる。また、上記の構成により、駆動源の駆動トルクに比例した押圧荷重をクラッチピストンに付与することができる。したがって、クラッチに対する押圧荷重の制御が容易となる。
【０００９】
また、本発明にかかるクラッチ機構は、駆動側カムクラッチ板の両側それぞれに配置した第１クラッチ機構と第２クラッチ機構とを設けている。すなわち、駆動側カムクラッチ板の両側に配置した２組のクラッチ機構を備えたことで、駆動源から駆動側カムクラッチ板に付与される回転トルクを二方向の締結力に変換するように構成している。これにより、単一の駆動源による一の駆動側カムクラッチ板の駆動で、複数のクラッチの操作を行うことが可能となる。また、駆動源による駆動側カムクラッチ板の回動方向を切り換えるだけで、第１クラッチ機構と第２クラッチ機構の締結・解放の切替操作が行えるので、クラッチ機構の動作制御が簡単になる。
【００１０】
また、上記のクラッチ機構では、駆動源（９０）は、単一の電動モータ（９０）であり、伝達機構（９３）は、電動モータ（９０）の駆動で回転するネジ軸（９４）と、該ネジ軸（９４）の回転によって進退移動するラック（９５）と、駆動側カムクラッチ板（１０）の外周に形成されてラック（９５）に噛合するギヤ（１２）と、を備えるとよい。あるいは、伝達機構（９３）は、電動モータ（９０）の駆動で回転するウォーム（９８）と、駆動側カムクラッチ板（１０）の外周に形成されてウォーム（９８）と噛合するウォームホイール（９９）と、を備えるとよい。これらによれば、簡単な構成で、電動モータの駆動力で駆動側カムクラッチ板を正逆両方向に切り替えて回動させることができる。したがって、クラッチの締結・解放の切替操作をより容易に行うことが可能となる。
【００１１】
また、上記のクラッチ機構では、カム（２７，６７）は、傾斜面（１３ａ，１５ａ）を転動する球状体であってよい。これによれば、カムクラッチにかかるクラッチピストンからの反力が球状体で受け止められるようになる。したがって、伝達機構の構成の簡素化を図ることができる。特に、伝達機構として上記のネジ軸とラックを備える場合には、ネジ軸に径方向の荷重がかかることを防げるので、ネジ軸の径寸法の小型化が可能となる。したがって、クラッチ機構の簡素化及び軽量化が可能となる。
【００１２】
また、上記のクラッチ機構では、駆動側カムクラッチ板（１０）の側面（１０ａ，１０ｂ）又は従動側カムクラッチ板（２０，６０）の側面（２０ａ，６０ａ）には、カム（２７，６７）を係止するための係止部（２４，６６）が形成されており、従動側カムクラッチ板（２０，６０）及びクラッチピストン（３０，７０）がクラッチ（４０，８０）側に移動した位置で、カム（２７，６７）が係止部（２４，６６）に係止されることで、クラッチ（２０，６０）の締結が維持されるように構成するとよい。この構成によれば、係止部によるカムのディテント作用によって、駆動源の駆動力によらずにクラッチの締結を維持することが可能となる。したがって、電力消費量の低減、燃費の向上を図ることができる。
なお、上記の括弧内の符号は、後述する実施形態における対応する構成要素の符号を本発明の一例として示したものである。
【発明の効果】
【００１３】
本発明にかかるクラッチ機構によれば、部品点数を少なく抑えた簡単な構成でありながら、クラッチピストンに適切な押圧荷重を付与することで、クラッチの良好な切替操作が行えると共に、単一の駆動源で複数のクラッチの切替操作を行うことが可能となる。
【図面の簡単な説明】
【００１４】
【図１】本発明の一実施形態にかかるクラッチ機構を示す概略側断面図である。
【図２】クラッチ機構を備えたツインクラッチ式の変速機の全体構成例を示すスケルトン図である。
【図３】（ａ）は、駆動側カムクラッチ板と第１従動側カムクラッチ板を示す斜視図、（ｂ）は、駆動側カムクラッチ板と第２従動側カムクラッチ板を示す斜視図、（ｃ）は、駆動側カムクラッチ板と第１、第２従動側カムクラッチ板を組み立てた状態を示す斜視図である。
【図４】電動モータ及び伝達機構の構成例を示す図である。
【図５】ネジ軸の回転でラックを移動させるための構成例を示す図で、（ａ）は、ボールネジ構造の場合を示す図、（ｂ）は、ネジ溝構造の場合を示す図である。
【図６】伝達機構の他の構成例を示す図である。
【図７】クラッチ機構の各部に生じる力の関係を説明するための図である。
【図８（ａ）】第１、第２クラッチが解放されたニュートラル状態を示す図で、電動モータ及び伝達機構と駆動側カムクラッチ板を示す図である。
【図８（ｂ）】第１、第２クラッチが解放されたニュートラル状態を示す図で、駆動側カムクラッチ板と従動側カムクラッチ板との間に挟まれたカムを示す部分拡大図である。
【図８（ｃ）】第１、第２クラッチが解放されたニュートラル状態を示す図で、クラッチ機構の全体を示す概略側断面図である。
【図９（ａ）】第１クラッチが締結した状態を示す図で、電動モータ及び伝達機構と駆動側カムクラッチ板を示す図である。
【図９（ｂ）】第１クラッチが締結した状態を示す図で、駆動側カムクラッチ板と従動側カムクラッチ板との間に挟まれたカムを示す部分拡大図である。
【図９（ｃ）】第１クラッチが締結した状態を示す図で、クラッチ機構の全体を示す概略側断面図である。
【図１０（ａ）】第２クラッチが締結した状態を示す図で、電動モータ及び伝達機構と駆動側カムクラッチ板を示す図である。
【図１０（ｂ）】第２クラッチが締結した状態を示す図で、駆動側カムクラッチ板と従動側カムクラッチ板との間に挟まれたカムを示す部分拡大図である。
【図１０（ｃ）】第２クラッチが締結した状態を示す図で、クラッチ機構の全体を示す概略側断面図である。
【図１１】電動モータの回転角度と第１、第２クラッチピストンのストローク量との関係を示すグラフである。
【図１２】本発明の第２実施形態にかかるクラッチ機構を示す概略側断面図であり、電動モータの回転角度がゼロの状態を示す図である。
【図１３】第２実施形態における電動モータの回転角度と第１、第２クラッチピストンのストローク量との関係を示すグラフである。
【発明を実施するための形態】
【００１５】
以下、添付図面を参照して本発明の実施形態を詳細に説明する。
〔第１実施形態〕
図１は、本発明の一実施形態にかかるクラッチ機構１を示す概略側断面図である。また、図２は、クラッチ機構１を設けたツインクラッチ式の変速機１００の全体構成例を示すスケルトン図である。図２に示すように、クラッチ機構１を設けたツインクラッチ式の変速機１００は、前進４段の変速段を設定可能な変速機であり、エンジン１０１からの駆動力が伝達される主軸１０２と、主軸１０２に対して同軸上に設置した第１入力軸１１０と、第１入力軸１１０に対して所定間隔で平行に設置した第２入力軸１２０と、第１、第２入力軸１１０，１２０に対して所定間隔で平行に設置した出力軸１３０とを備えている。第１入力軸１１０上には、奇数段設定用の歯車列を構成する１速駆動ギヤ１１１、３速駆動ギヤ１１３が配列されており、第２入力軸１２０上には、偶数段設定用の歯車列を構成する２速駆動ギヤ１２２、４速駆動ギヤ１２４が配列されている。
【００１６】
１速駆動ギヤ１１１、３速駆動ギヤ１１３は、第１入力軸１１０に対して相対回転可能に設置されており、２速駆動ギヤ１２２、４速駆動ギヤ１２４は、第２入力軸１２０に対して相対回転可能に設置されている。そして、第１入力軸１１０上には、１速駆動ギヤ１１１と３速駆動ギヤ１１３を第１入力軸１１０に対して選択的に同期固定するための同期装置１１２が設置されており、第２入力軸１２０上には、２速駆動ギヤ１２２と４速駆動ギヤ１２４を第２入力軸１２０に対して選択的に同期固定するための同期装置１２１が設置されている。
【００１７】
そして、出力軸１３０上には、１速駆動ギヤ１１１及び２速駆動ギヤ１２２に噛合する１−２速従動ギヤ１３１、３速駆動ギヤ１１３及び４速駆動ギヤ１２４に噛合する３−４速従動ギヤ１３３が設けられている。
【００１８】
本実施形態にかかるクラッチ機構１は、主軸１０２上に並べて設けた第１クラッチ機構１ａと第２クラッチ機構１ｂとを備えて構成されている。第１クラッチ機構１ａは、主軸１０２から第１入力軸１１０への駆動力伝達の有無を切り替えるためのクラッチ機構である。一方、第２クラッチ機構１ｂは、主軸１０２から第２入力軸１２０への駆動力伝達の有無を切り替えるためのクラッチ機構である。主軸１０２上には、第２クラッチ機構１ｂで主軸１０２に対する締結・解放が切り替えられる駆動ギヤ１０３が設けられている。そして、駆動ギヤ１０３は、アイドル軸１４０上に設置したアイドルギヤ１０４に噛合しており、該アイドルギヤ１０４が第２入力軸１２０上の従動ギヤ１０５に噛合している。
【００１９】
上記の構成によって、第１クラッチ機構１ａが締結すると、エンジン１０１の駆動力が主軸１０２から第１入力軸１１０に伝達されて、第１入力軸１１０が回転する。第１入力軸１１０の回転は、同期装置１１２によって、１速駆動ギヤ１１１又は３速駆動ギヤ１１３に伝達される。これにより、１速段、３速段のいずれかが設定される。一方、第２クラッチ機構１ｂが締結すると、エンジン１０１の駆動力が主軸１０２から駆動ギヤ１０３、アイドルギヤ１０４、従動ギヤ１０５を経由して第２入力軸１２０に伝達されて、第２入力軸１２０が回転する。第２入力軸１２０の回転は、同期装置１２１によって、２速駆動ギヤ１２２又は４速駆動ギヤ１２４に伝達される。これにより、２速段、４速段のいずれかが設定される。
【００２０】
次に、クラッチ機構１の詳細な構成について説明する。なお、以下の説明で右又は左というときは、各図に示す右又は左を指すものとする。クラッチ機構１は、図１に示すように、主軸１０２の周りに回動可能に設置した駆動側カムクラッチ板１０を備えている。駆動側カムクラッチ板１０は、円形平板状の部材であり、その中心には、主軸１０２を挿通するための軸穴１１が形成されている。軸穴１１に挿通した主軸１０２との隙間には、ベアリング１１ａが設置されている。これにより、駆動側カムクラッチ板１０は、主軸１０２に対して相対回転可能になっている。
【００２１】
図１に示すように、駆動側カムクラッチ板１０の径方向の外側には、略円筒状の支持部材１７が設置されている。支持部材１７は、駆動側カムクラッチ板１０に対して軸方向の両側に配置した一対の部材に分割されており、それぞれがクラッチ機構１を収容する変速機ケーシング（図示せず）など固定側の部材に固定されている。これにより、駆動側カムクラッチ板１０の両側面１０ａ，１０ｂの外周が回動可能に支持されている。
【００２２】
図３（ａ）は、駆動側カムクラッチ板１０と後述する第１従動側カムクラッチ板２０を示す斜視図であり、（ｂ）は、駆動側カムクラッチ板１０と後述する第２従動側カムクラッチ板６０を示す斜視図であり、（ｃ）は、駆動側カムクラッチ板１０と第１、第２従動側カムクラッチ板２０，６０を組み立てた状態を示す斜視図である。なお、同図（ｃ）では、第２従動側カムクラッチ板６０の一部を切り欠いた状態で示している。駆動側カムクラッチ板１０の両側面１０ａ，１０ｂにはそれぞれ、第１カム２７を転動させるための第１カム溝１３と、第２カム６７を転動させるための第２カム溝１５とが形成されている。第１カム溝１３と第２カム溝１５はいずれも、主軸１０２周りの円周方向に延びる円弧状の浅い溝部として形成されており、円周方向に沿って軸方向の高さ位置が徐々に変化する傾斜面状の底面（傾斜面）１３ａ，１５ａを有している。
【００２３】
第１カム溝１３は、駆動側カムクラッチ板１０の右側面１０ａの周方向に沿って所定間隔で複数個（図では９０度間隔で４個）が形成されており、いずれもその底面１３ａが周方向で同じ向きに傾斜している。一方、第２カム溝１５は、駆動側カムクラッチ板１０の左側面１０ｂの周方向に沿って所定間隔で複数個（図では９０度間隔で４個）が形成されており、いずれもその底面１５ａが周方向で同じ向きに傾斜している。そして、第１カム溝１３の底面１３ａの傾斜する向きと、第２カム溝１５の底面１５ａの傾斜する向きは、周方向で互いに反対向きになっている。
【００２４】
そして、図１に示すように、第１クラッチ機構１ａと第２クラッチ機構１ｂは、駆動側カムクラッチ板１０の軸方向の両側それぞれに配置されている。第１クラッチ機構１ａは、駆動側カムクラッチ板１０の右側（軸方向の一方）に設置した第１従動側カムクラッチ板２０と、第１従動側カムクラッチ板２０と駆動側カムクラッチ板１０との間に挟持された第１カム２７と、第１従動側カムクラッチ板２０に連動して軸方向に移動する第１クラッチピストン３０と、第１クラッチピストン３０の作動によって締結・解放される第１クラッチ４０とで構成されている。
【００２５】
第１従動側カムクラッチ板２０は、駆動側カムクラッチ板１０と略等しい径寸法を有する円形平板状の部材であり、その中心には、主軸１０２を挿通するための軸穴２１が形成されている。軸穴２１に挿通した主軸１０２との間には、僅かな寸法のクリアランスが設けられている。また、第１従動側カムクラッチ板２０の外周は、支持部材１７に対してレール部１８で支持されている。レール部１８は、第１従動側カムクラッチ板２０の外周に対して、円周方向及び軸方向の移動を許容した状態で係合している。これらによって、第１従動側カムクラッチ板２０は、支持部材１７及び主軸１０２に対して相対的に回動可能かつ軸方向にスライド移動可能になっている。
【００２６】
第１従動側カムクラッチ板２０の側面（駆動側カムクラッチ板１０を向く左側面）２０ａには、第１突起部２３が設けられている。第１突起部２３は、駆動側カムクラッチ板１０の第１カム溝１３を転動する第１カム２７に当接するように、第１カム溝１３に対応する複数個（図では４個）が設けられている。各第１突起部２３は、主軸１０２周りの円周方向に延びる円弧状の凸部として形成されている。各第１突起部２３は、円周方向に沿って軸方向の高さ位置が徐々に変化する傾斜面状の上面２３ａを有している。各第１突起部２３の上面２３ａは、各第１カム溝１３の底面１３ａに対して平行になるように形成されている。
【００２７】
第１カム２７は、金属製の球状体であり、第１カム溝１３の底面１３ａを転動可能な径寸法を有している。第１カム２７は、第１カム溝１３の底面１３ａと第１突起部２３の上面２３ａとに挟まれており、駆動側カムクラッチ板１０と第１従動側カムクラッチ板２０との相対回転に伴い、第１カム溝１３の底面１３ａ及び第１突起部２３の上面２３ａの長手方向に沿って転動するようになっている。
【００２８】
また、各第１突起部２３の頂点（軸方向の高さが最も高い位置）には、第１カム２７を係止するための第１係止溝２４が形成されている。第１係止溝２４は、第１突起部２３の頂点を第１カム２７の外形に沿う球面状あるいは円筒面状に窪ませた部分であり、第１突起部２３に沿って転動した第１カム２７が第１突起部２３の頂点に達すると、第１係止溝２４に没入して係止されるようになっている。
【００２９】
一方、図１に示すように、主軸１０２の外周側には、主軸１０２に対してスプライン嵌合している円筒体３５が設置されている。第１クラッチピストン３０は、円筒体３５の外周側にスプライン嵌合している。したがって、第１クラッチピストン３０は、主軸１０２と一体に回転するようになっている。そして、第１従動側カムクラッチ板２０と第１クラッチピストン３０との間には、レリーズベアリング２２が設置されている。レリーズベアリング２２によって、第１従動側カムクラッチ板２０と第１クラッチピストン３０との差回転が許容されるようになっている。また、第１クラッチピストン３０と円筒体３５の外周に固定したリング状の係止部材３５ａとの間には、リターンスプリング３６が設置されている。このリターンスプリング３６によって、第１クラッチピストン３０が第１クラッチ４０から離間する方向に付勢されている。
【００３０】
第１クラッチ４０は、第１クラッチピストン３０に対して軸方向に相対移動可能かつ周方向に相対移動不能に係合している円筒状の外周部材４１と、第１入力軸１１０と一体に形成した円筒状の内周部材４２とを備えている。外周部材４１は、主軸１０２及び第１クラッチピストン３０と一体に回転し、内周部材４２は、第１入力軸１１０と一体に回転する。また、外周部材４１は、その外周側がベアリング４１ａを介してケースなど固定側の部材（図示せず）に対して相対回転可能に支持されている。そして、外周部材４１と内周部材４２との間には、外周部材４１に固定された複数のクラッチプレート４３ａと、内周部材４２に固定された複数のクラッチプレート４３ｂとが軸方向に沿って交互に積層されている。積層されたクラッチプレート４３ａ，４３ｂの軸方向の一端には、第１クラッチピストン３０が対向している。したがって、第１従動側カムクラッチ板２０からの押圧力を受けることで、第１クラッチピストン３０がリターンスプリング３６の付勢力に抗して第１クラッチ４０側に移動すると、クラッチプレート４３ａ，４３ｂが積層方向に押圧される。これにより、第１クラッチ４０が締結される。一方、第１従動側カムクラッチ板２０から第１クラッチピストン３０にかかる押圧力が解除されると、リターンスプリング３６の付勢力で、第１クラッチピストン３０が第１クラッチ４０から離れる方向に移動する。これにより、第１クラッチ４０が解放される。
【００３１】
一方、第２クラッチ機構１ｂは、駆動側カムクラッチ板１０の左側（軸方向の他方）に設置した第２従動側カムクラッチ板６０と、第２従動側カムクラッチ板６０と駆動側カムクラッチ板１０との間に挟持された第２カム６７と、第２従動側カムクラッチ板６０に連動して軸方向に移動する第２クラッチピストン７０と、第２クラッチピストン７０の作動によって締結・解放される第２クラッチ８０とで構成されている。この第２クラッチ機構１ｂは、第１クラッチ機構１ａに対して、軸方向でほぼ対称な構成を有している。
【００３２】
第２従動側カムクラッチ板６０は、駆動側カムクラッチ板１０と略等しい径寸法を有する円形平板状の部材であり、その中心には、主軸１０２を挿通するための軸穴６１が形成されている。軸穴６１に挿通した主軸１０２との間には、僅かな寸法のクリアランスが設けられている。また、第２従動側カムクラッチ板６０の外周は、支持部材１７に対してレール部１９で支持されている。レール部１９は、第２従動側カムクラッチ板６０の外周に対して、円周方向及び軸方向の移動を許容した状態で係合している。これらによって、第２従動側カムクラッチ板６０は、支持部材１７及び主軸１０２に対して相対的に回動可能かつ軸方向にスライド移動可能になっている。
【００３３】
第２従動側カムクラッチ板６０の側面（駆動側カムクラッチ板１０を向く右側面）６０ａには、第２突起部６５が設けられている。第２突起部６５は、駆動側カムクラッチ板１０の第２カム溝１５を転動する第２カム６７に当接するように、主軸１０２周りの円周方向に延びる円弧状の凸部として形成されている。各第２突起部６５は、円周方向に沿って軸方向の高さ位置が徐々に変化する傾斜面状の上面６５ａを有している。各第２突起部６５の上面６５ａは、各第２カム溝１５の底面１５ａに対して平行になるように形成されている。
【００３４】
第２カム６７は、金属製の球状体であり、第２カム溝１５の底面１５ａを転動可能な径寸法を有している。第２カム６７は、第２カム溝１５の底面１５ａと第２突起部６５の上面６５ａとに挟まれており、駆動側カムクラッチ板１０と第２従動側カムクラッチ板６０との相対回転に伴い、第２カム溝１５の底面１５ａと第２突起部６５の上面６５ａの長手方向に沿って転動するようになっている。
【００３５】
また、各第２突起部６５の頂点（軸方向の高さが最も高い位置）には、第２カム６７を係止するための第２係止溝６６が形成されている。第２係止溝６６は、第２突起部６５の頂点を第２カム６７の外形に沿う球面状あるいは円筒面状に窪ませた部分であり、第２突起部６５に沿って転動した第２カム６７が第２突起部６５の頂点に達すると、第２係止溝６６に没入して係止されるようになっている。
【００３６】
一方、図１に示すように、主軸１０２の外周側には、主軸１０２に対してスプライン嵌合している円筒体７５が設置されている。第２クラッチピストン７０は、円筒体７５の外周側にスプライン嵌合している。したがって、第２クラッチピストン７０は、主軸１０２と一体に回転するようになっている。そして、第２従動側カムクラッチ板６０と第２クラッチピストン７０との間には、レリーズベアリング６２が設置されている。レリーズベアリング６２によって、第２従動側カムクラッチ板６０と第２クラッチピストン７０との差回転が許容されるようになっている。また、第２クラッチピストン７０と円筒体７５の外周に固定したリング状の係止部材７５ａとの間には、リターンスプリング７６が設置されている。このリターンスプリング７６によって、第２クラッチピストン７０が第２クラッチ８０から離間する方向に付勢されている。
【００３７】
第２クラッチ８０は、第２クラッチピストン７０に対して軸方向に相対移動可能かつ周方向に相対移動不能に係合している円筒状の外周部材８１と、駆動ギヤ１０３と一体に形成した円筒状の内周部材８２とを備えている。外周部材８１は、主軸１０２及び第２クラッチピストン７０と一体に回転し、内周部材８２は、駆動ギヤ１０３と一体に回転する。なお、駆動ギヤ１０３は、ベアリング９１によって、主軸１０２に対して相対回転可能に設置されている。そして、外周部材８１と内周部材８２との間には、外周部材８１に固定された複数のクラッチプレート８３ａと、内周部材８２に固定された複数のクラッチプレート８３ｂとが軸方向に沿って交互に積層されている。積層されたクラッチプレート８３ａ，８３ｂの軸方向の一端には、第２クラッチピストン７０が対向している。したがって、第２従動側カムクラッチ板６０からの押圧力を受けることで、第２クラッチピストン７０がリターンスプリング７６の付勢力に抗して第２クラッチ８０側に移動すると、クラッチプレート８３ａ，８３ｂが積層方向に押圧される。これにより、第２クラッチ８０が締結される。一方、第２従動側カムクラッチ板６０から第２クラッチピストン７０にかかる押圧力が解除されると、リターンスプリング７６の付勢力で、第２クラッチピストン７０が第２クラッチ８０から離れる方向に移動する。これにより、第２クラッチ８０が解放される。
【００３８】
図４は、クラッチ機構１が備える電動モータ９０及び伝達機構９３の構成例を示す図である。同図に示すように、クラッチ機構１には、駆動側カムクラッチ板１０を回動させるための駆動源である電動モータ９０と、電動モータ９０の駆動力を駆動側カムクラッチ板１０に伝達するための伝達機構９３とが設けられている。伝達機構９３は、電動モータ９０の駆動力で回転するネジ軸９４と、ネジ軸９４の回転に伴いその軸方向に進退移動するように構成したラック９５と、駆動側カムクラッチ板１０の外周面に形成されてラック９５に噛合するギヤ１２とを備えている。これにより、電動モータ９０の駆動力でネジ軸９４が一方に回転すると、その回転でラック９５がネジ軸９４の軸方向に沿って一方に移動する。これにより、ラック９５と噛合する駆動側カムクラッチ板１０が一方に回動する。また、電動モータ９０の駆動力でネジ軸９４が他方に回転すると、その回転でラック９５がネジ軸９４の軸方向に沿って他方に移動する。これにより、ラック９５と噛合する駆動側カムクラッチ板１０が他方に回動する。このように、電動モータ９０によるネジ軸９４の回転方向に応じて、駆動側カムクラッチ板１０が正転方向又は逆転方向に回動するようになっている。
【００３９】
図５は、ネジ軸９４の回転でラック９５を移動させるための構成例を示す図で、（ａ）は、ボールネジ構造の場合を示す図、（ｂ）は、ネジ溝構造の場合を示す図である。同図（ａ）に示すボールネジ構造では、ネジ軸９４の外周面９４ａにボール９６が転動するボール溝９６ａが形成されている。また、ネジ軸９４の外周を囲むラック９５には、ネジ軸９４のボール溝９６ａから排出されたボール９６を案内するための案内路９６ｂが形成されている。案内路９６ｂは、両端がネジ軸９４の外周面９４ａに対向して開口しており、一端から導入したボール９６を他端から導出することで、ボール溝９６ａのボール９６を循環させるようになっている。これにより、ネジ軸９４の回転でボール９６がボール溝９６ａ及び案内路９６ｂを転動することで、ラック９５がネジ軸９４の軸方向に沿って進退移動するようになっている。また、図５（ｂ）に示すネジ溝構造では、ネジ軸９４の外周面９４ａに形成したネジ溝９７ａと、ラック９５の内周面９５ａに形成したネジ溝９７ｂとがネジ係合している。これにより、ネジ軸９４の回転でラック９５が軸方向に進退移動するようになっている。なお、ネジ軸９４の回転でラック９５を移動させるための構成としては、図５（ａ）のボールネジ構造と、図５（ｂ）のネジ溝構造のどちらであってもよい。
【００４０】
図６は、伝達機構９３の他の構成例を示す図である。同図に示す伝達機構９３は、電動モータ９０の駆動で回転するウォーム９８と、駆動側カムクラッチ板１０の外周に形成されてウォーム９８と噛合してなるウォームホイール９９とで構成されている。これにより、電動モータ９０の駆動力でウォーム９８が一方に回転すると、ウォーム９８と噛合するウォームホイール９９の移動で、駆動側カムクラッチ板１０が一方に回動する。また、電動モータ９０の駆動力でウォーム９８が他方に回転すると、ウォーム９８と噛合するウォームホイール９９の移動で、駆動側カムクラッチ板１０が他方に回動する。このように、電動モータ９０によるウォーム９８の回転方向に応じて、駆動側カムクラッチ板１０が正転方向又は逆転方向に回動するようになっている。
【００４１】
図７は、クラッチ機構１の各部に生じる力の関係について説明ための図であり、同図（ａ）は、ネジ軸９４及びラック９５と駆動側カムクラッチ板１０とを示す図、（ｂ）は、ネジ軸９４の端面及び側面を示す図、（ｃ）は、駆動側カムクラッチ板１０と従動側カムクラッチ板２０，６０との間に挟まれたカム２７，６７を示す部分拡大図である。なお、ここでは、ネジ軸９４の回転でラック９５を移動させる構成として、図５（ｂ）に示すネジ溝構造を有する場合について説明する。
【００４２】
図７（ａ）に示すように、電動モータ９０からラック９５に作用する力Ｆ1とし、図７（ｂ）に示すように、ネジ軸９４に形成したネジ溝９７ａのピッチ径ｒ1，ネジ溝９７ａのリード角θ1，電動モータ９０のトルクＴ1とすると、下記の（式１）が成り立つ。
Ｆ1＝Ｔ1／ｒ1ｓｉｎθ1  （式１）
（式１）から、ネジ溝９７ａのピッチ径ｒ1が小さいと、電動モータ９０のトルクＴ1に対してラック９５に作用する力Ｆ1が倍力される。本実施形態のクラッチ機構１では、ネジ軸９４の径方向（ラジアル方向）に作用するクラッチ反力が比較的小さいため、ネジ溝９７ａのピッチ径ｒ1は、ある程度小さくすることが可能である。したがって、電動モータ９０のトルクＴ1に対してラック９５に作用する力Ｆ1を倍力することが可能である。また、（式１）から、ネジ溝９７ａのリード角θ1が鋭角ならば、電動モータ９０のトルクＴ1に対してラック９５に作用する力Ｆ1が倍力される。
【００４３】
また、図７（ａ）に示すように、駆動側カムクラッチ板１０の外周に設けたギヤ（ピニオンギヤ）１２のピッチ径ｒ2，カム溝１３，１５の中心径ｒ3とし、図７（ｃ）に示すように、駆動側カムクラッチ板１０のカム溝１３，１５の底面（傾斜面）１３ａ，１５ａにかかる力Ｆ2とすると、下記の（式２）が成り立つ。
Ｆ2＝Ｆ1・ｒ2／ｒ3  （式２）
（式２）から、カム溝１３，１５の底面１３ａ，１５ａにかかる力Ｆ2は、ラック９５に作用する力Ｆ1に対して、ギヤ１２のピッチ径ｒ2とカム溝１３，１５の中心径ｒ3との比で倍力される。
【００４４】
さらに、図７（ｃ）に示すように、従動側カムクラッチ板２０，６０からクラッチピストン３０，７０に付与される押圧力Ｆ3、駆動側カムクラッチ板１０のカム溝１３，１５の底面１３ａ，１５ａの傾斜角度（駆動側カムクラッチ板１０の側面１０ａ，１０ｂに対する傾斜角度）θ2とすると、下記の（式３）が成り立つ。
Ｆ3＝Ｆ2／ｔａｎθ2  （式３）
（式３）から、カム溝１３，１５の底面１３ａ，１５ａの傾斜角度θ2が鋭角ならば、底面１３ａ，１５ａにかかる力Ｆ2に対して、クラッチピストン３０，７０に付与される押圧力Ｆ3が倍力される。
【００４５】
また、（式１）乃至（式３）からわかるように、従動側カムクラッチ板２０，６０からクラッチピストン３０，７０にかかる押圧力Ｆ3には、クラッチ機構１の作動状態の遷移に応じて変化するパラメータが含まれていない。したがって、クラッチピストン３０，７０に対する押圧力Ｆ3は、電動モータ９０のトルクに比例した荷重として発生する。したがって、本実施形態のクラッチ機構１では、電動モータ９０のトルクの綿密な制御を行わなくても、クラッチピストン３０，７０を一定の荷重で押圧することが可能となる。
【００４６】
次に、上記構成のクラッチ機構１の動作について説明する。図８乃至図１０は、クラッチ機構１の作動状態を説明するための図であり、図８は、電動モータ９０の回転角度（電動モータ９０の駆動によるネジ軸９４あるいは駆動側カムクラッチ板１０の回転角度でもよい、以下同じ。）がゼロの状態（正逆いずれにも回転していない中立状態）を示す図であり、図９は、電動モータ９０が一方（正方向）に所定角度（+θ）回転した状態を示す図であり、電動モータ９０が他方（逆方向）に所定角度（−θ）回転した状態を示す図である。また、図８乃至図１０では、（ａ）は、電動モータ９０及び伝達機構９３と駆動側カムクラッチ板１０を示す図であり、（ｂ）は、駆動側カムクラッチ板１０と従動側カムクラッチ板２０，６０との間に挟まれたカム２７，６７を示す部分拡大図であり、（ｃ）は、クラッチ機構１の全体を示す概略側断面図である。
【００４７】
まず、図８（ａ）に示すように、電動モータ９０の回転角度がゼロの状態では、ラック９５がその移動方向（ネジ軸９４の軸方向、以下同じ。）の中心位置にある。したがって、駆動側カムクラッチ板１０は、正逆どちら向きにも回動していない初期位置にある。この状態では、図８（ｂ）に示すように、第１カム２７が第１カム溝１３の長手方向の中間位置にあり、かつ、第２カム６７が第２カム溝１５の長手方向の中間位置にある。したがって、図８（ｃ）に示すように、第１従動側カムクラッチ板２０及び第１クラッチピストン３０は、第１クラッチ４０側に移動しておらず、かつ、第２従動側カムクラッチ板６０及び第２クラッチピストン７０は、第２クラッチ８０側に移動していない。そのため、第１クラッチ４０と第２クラッチ８０は、いずれもニュートラル状態である。
【００４８】
そして、図８に示すニュートラル状態から、電動モータ９０の駆動でネジ軸９４を一方（正方向）に回転させると、図９（ａ）に示すように、ラック９５が左方向に移動する。これにより、駆動側カムクラッチ板１０が同図に示す反時計回り方向に回動する。そうすると、駆動側カムクラッチ板１０の第１カム溝１３が反時計回り方向（図９（ｂ）では上方向）に回動することで、第１カム溝１３と第１突起部２３との間に挟持された第１カム２７がそれらの長手方向に沿って相対的に移動する。すると、第１カム２７は、第１カム溝１３の底面１３ａを上昇し、第１カム溝１３の端部まで移動する。これにより、第１カム２７の軸方向の位置が右方向へ移動するので、第１従動側カムクラッチ板２０が右方向に移動する。こうして、図９（ｃ）に示すように、第１従動側カムクラッチ板２０と連動して右方向へ移動する第１クラッチピストン３０によって、第１クラッチ４０が押圧されて締結する。第１クラッチ４０が締結すると、図９（ｃ）の一点鎖線に示すように、主軸１０２の回転が第１クラッチ４０を介して第１入力軸１１０に伝達される。
【００４９】
さらにこの場合、図９（ｂ）に示すように、第１カム２７が第１突起部２３の頂点に達すると、第１係止溝２４に没入して係止される。これにより、第１従動側カムクラッチ板２０は、第１クラッチピストン３０側（右側）一杯に移動した位置で停止する。この状態で電動モータ９０を停止すると、駆動側カムクラッチ板１０及び第１従動側カムクラッチ板２０は、その位置で停止する。これにより、第１クラッチピストン３０で第１クラッチ４０を押圧した状態を維持できる。したがって、電動モータ９０の駆動力が無い状態で、第１クラッチ４０の締結を維持できる。
【００５０】
なお、図８に示す状態から図９に示す状態になる際には、駆動側カムクラッチ板１０の第２カム溝１５は、図９（ｂ）に示す上方向に回動する。そのため、第２カム６７は、第２カム溝１５に沿って底面１５ａを下降する方向へ移動して、第２カム溝１５内の最も低い位置に配置される。第２クラッチピストン７０は、リターンスプリング７６によって第２クラッチ８０から離間する方向に付勢されているので、当該付勢力によって、第２従動側カムクラッチ板６０及び第２クラッチピストン７０は、第２カム６７の移動分、第２クラッチ８０から離れる方へ移動する。
【００５１】
一方、図８に示すニュートラル状態から、電動モータ９０の駆動でネジ軸９４を他方（逆方向）に回転させると、図１０（ａ）に示すように、ラック９５が右方向に移動する。これにより、駆動側カムクラッチ板１０が同図の時計回り方向に回動する。すると、駆動側カムクラッチ板１０の第２カム溝１５が図１０（ｂ）に示す下方向に回動することで、第２カム溝１５と第２突起部６５との間に挟持された第２カム６７がそれらの長手方向に沿って相対的に移動する。すると、第２カム６７は、第２カム溝１５の底面１５ａを上昇し、第２カム溝１５の端部まで移動する。これにより、第２カム６７の軸方向の位置が左方向に移動するので、第２従動側カムクラッチ板６０が左方向に移動する。こうして、図１０（ｃ）に示すように、第２従動側カムクラッチ板６０と連動して左方向へ移動する第２クラッチピストン７０によって、第２クラッチ８０が押圧されて締結する。第２クラッチ８０が締結すると、図１０（ｃ）の一点鎖線に示すように、主軸１０２の回転が第２クラッチ８０を介して駆動ギヤ１０３に伝達される。
【００５２】
さらにこの場合、図１０（ｂ）に示すように、第２カム６７が第２突起部６５の頂点に達すると、第２係止溝６６に没入して係止される。これにより、第２従動側カムクラッチ板６０は、第２クラッチピストン７０側（左側）一杯に移動した位置で停止する。この状態で電動モータ９０を停止すると、駆動側カムクラッチ板１０及び第２従動側カムクラッチ板６０は、その位置で停止する。これにより、第２クラッチピストン７０で第２クラッチ８０を押圧した状態を維持できる。したがって、電動モータ９０の駆動力が無い状態で、第２クラッチ８０の締結を維持できる。
【００５３】
なお、図８に示す状態から図１０に示す状態になる際には、駆動側カムクラッチ板１０の第１カム溝１３は、図１０（ｂ）に示す下方向に回動する。そのため、第１カム２７は、第１カム溝１３に沿って底面１３ａを下降する方向へ移動して、第１カム溝１３内の最も低い位置に配置される。第１クラッチピストン３０は、リターンスプリング３６によって第１クラッチ４０から離間する方向に付勢されているので、当該付勢力によって、第１従動側カムクラッチ板２０及び第１クラッチピストン３０は、第１カム２７の移動分、第１クラッチ４０から離れる方へ移動する。
【００５４】
図１１は、本実施形態のクラッチ機構１における電動モータ９０の回転角度と第１、第２クラッチピストン３０，７０のストローク量（第１、第２クラッチ４０，８０の締結・解放状態）との関係を示すグラフである。同図のグラフに示す点線は、第１クラッチピストン３０のストローク量であり、実線は、第２クラッチピストン７０のストローク量である。同図に示すように、電動モータ９０の回転角度がゼロのとき、第１クラッチピストン３０と第２クラッチピストン７０のストローク量は、いずれも０である。この状態では、第１クラッチ４０と第２クラッチ８０のいずれも解放状態（ニュートラル）になっている。そこから電動モータ９０が正方向に所定角度（+θ）回転すると、第１クラッチ４０が締結状態となる一方、逆方向に所定角度（−θ）回転すると、第２クラッチ８０が締結状態となる。
【００５５】
以上説明したように、本実施形態のクラッチ機構１は、主軸１０２の周りに回動可能に設置した駆動側カムクラッチ板１０と、駆動側カムクラッチ板１０を回動させるための電動モータ９０と、電動モータ９０の駆動力を駆動側カムクラッチ板１０に伝達するための伝達機構９３と、駆動側カムクラッチ板１０に対して軸方向に並べて設置され、軸回りに回動可能且つ軸方向に移動可能な従動側カムクラッチ板２０，６０と、駆動側カムクラッチ板１０と従動側カムクラッチ板２０，６０との間に挟持されたカム２７,６７と、従動側カムクラッチ板２０，６０に連動して軸方向に移動するクラッチピストン３０，７０と、クラッチピストン３０，７０の作動によって締結・解放されるクラッチ４０，８０とを備えている。そして、カム２７，６７は、駆動側カムクラッチ板１０の側面１０ａ，１０ｂと従動側カムクラッチ板２０，６０の側面２０ａ，６０ａとに形成した回転方向に沿って傾斜する傾斜面１３ａ及び２３ａ，１５ａ及び６５ａに接しており、駆動側カムクラッチ板１０の回動によって、カム２７，６７が傾斜面１３ａ及び２３ａ，１５ａ及び６５ａを転動することで、従動側カムクラッチ板２０，６０及びクラッチピストン３０，７０が軸方向に移動して、クラッチ４０，８０の締結・解放が切り替わるように構成している。
【００５６】
本実施形態のクラッチ機構１によれば、電動モータ９０の駆動力で駆動側カムクラッチ板１０を回動させることで、駆動側カムクラッチ板１０と従動側カムクラッチ板２０，６０との間に挟持されたカム２７,６７の移動によって、クラッチ４０，８０の締結・解放の切り替えが行える。また、駆動側カムクラッチ板１０に形成した周方向に沿って傾斜する傾斜面１３ａ，１５ａにより、電動モータ９０の駆動力を倍力してクラッチピストン３０，７０側に伝達することが可能となる。したがって、部品点数を少なく抑えた簡単な構成でありながら、クラッチピストン３０，７０に適切な押圧荷重を付与することができ、クラッチ４０，８０の適切な操作が行えるようになる。また、クラッチ４０，８０の締結・解放に必要な電動モータ９０の駆動トルクを小さく抑えることができるので、電力消費量の削減、燃費向上に寄与できる。また、電動モータ９０の駆動トルクに比例した押圧荷重をクラッチピストン３０，７０に付与することができる。したがって、クラッチ４０，８０に対する押圧荷重の制御が容易となる。
【００５７】
また、本実施形態のクラッチ機構１は、駆動側カムクラッチ板１０の軸方向の両側それぞれに配置された第１、第２クラッチ機構１ａ，１ｂを備えている。第１クラッチ機構１ａは、駆動側カムクラッチ板１０の一方の側面１０ａに対向して設置した第１従動側カムクラッチ板２０と、第１従動側カムクラッチ板２０と駆動側カムクラッチ板１０との間に挟持された第１カム２７と、第１従動側カムクラッチ板２０に連動して軸方向に移動する第１クラッチピストン３０と、第１クラッチピストン３０の作動によって締結・解放される第１クラッチ４０とで構成されている。また、第２クラッチ機構１ｂは、駆動側カムクラッチ板１０の他方の側面１０ｂに対向して設置した第２従動側カムクラッチ板６０と、第２従動側カムクラッチ板６０と駆動側カムクラッチ板１０との間に挟持された第２カム６７と、第２従動側カムクラッチ板６０に連動して軸方向に移動する第２クラッチピストン７０と、第２クラッチピストン７０の作動によって締結・解放される第２クラッチ８０とで構成されている。そして、駆動側カムクラッチ板１０が一方に回動することで、第１クラッチ機構１ａの第１クラッチ４０が締結し、駆動側カムクラッチ板１０が他方に回動することで、第２クラッチ機構１ｂの第２クラッチ８０が締結するように構成している。
【００５８】
このように、本実施形態のクラッチ機構１では、駆動側カムクラッチ板１０の両側にそれぞれ第１クラッチ機構１ａと第２クラッチ機構１ｂとを設けている。これにより、電動モータ（駆動源）９０から駆動側カムクラッチ板１０に付与される回転トルクを二方向の締結力に変換するように構成している。したがって、単一の電動モータ９０による駆動側カムクラッチ板１０の駆動で、２つのクラッチ４０，８０の操作を行うことを可能としている。
【００５９】
また、上記のクラッチ機構１では、駆動源は、単一の電動モータ９０であり、伝達機構９３は、電動モータ９０の駆動で回転するネジ軸９４と、該ネジ軸９４の回転によって進退移動するラック９５と、駆動側カムクラッチ板１０の外周に形成されてラック９５に噛合するギヤ１２とを備えている。これにより、簡単な構成で、電動モータ９０の駆動力で駆動側カムクラッチ板１０を正逆両方向に切り替えて回動させることができる。したがって、第１クラッチ４０と第２クラッチ８０の締結・解放の切り替えを容易に行うことが可能となる。
【００６０】
また、上記のクラッチ機構１では、カム２７,６７は、傾斜面１３ａ，１５ａを転動する球状体としている。これにより、従動側カムクラッチ板２０，６０及び駆動側カムクラッチ板１０にかかるクラッチピストン３０，７０からの反力がカム２７,６７で受け止められる。したがって、伝達機構９３の構成の簡素化を図ることができる。特に、伝達機構９３として上記のネジ軸９４とラック９５を備える場合には、ネジ軸９４に径方向の荷重がかかることを防げるので、ネジ軸９４の径寸法の小型化が可能となる。したがって、クラッチ機構１の簡素化及び軽量化が可能となる。
【００６１】
また、上記のクラッチ機構１では、従動側カムクラッチ板２０,６０の突起部２３,６５には、傾斜面１３ａ,１５ａを転動するカム２７,６７を係止するための係止溝２４,６６が形成されており、従動側カムクラッチ板２０,６０及びクラッチピストン３０,７０がクラッチ４０,８０側に移動した状態で、カム２７,６７が係止溝２４,６６に係止されることで、クラッチ４０,８０の締結状態が維持されるように構成している。このような係止溝２４，６６によるカム２７，６７のディテント作用によって、電動モータ９０の駆動力によらずクラッチ４０,８０の締結状態を維持することが可能となる。したがって、電力消費量の低減、燃費の向上を図ることができる。すなわち、本実施形態のクラッチ機構１では、クラッチ４０,８０のストローク完了位置に対応する箇所にカム２７，６７が係止される係止溝２４,６６を有している。これにより、クラッチ４０，８０のストローク完了後は、電動モータ９０による駆動力が無い状態で、クラッチピストン３０，７０に対する押圧状態を保つことができる。
【００６２】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。
【００６３】
図１２は、第２実施形態にかかるクラッチ機構１−２を示す概略側断面図であり、電動モータ９０の回転角度がゼロのときの状態を示す図である。また、図１３は、第２実施形態のクラッチ機構１−２における電動モータ９０の回転角度と第１、第２クラッチピストン３０，７０のストローク量（第１、第２クラッチ４０，８０の締結・解放状態）との関係を示すグラフである。第１実施形態のクラッチ機構１では、駆動側カムクラッチ板１０が正逆どちら向きにも回動していない初期位置にある状態で、第１クラッチピストン３０が第１クラッチ４０から僅かに離間するように設定されており、かつ、第２クラッチピストン７０が第２クラッチ８０から僅かに離間するように設定されていた。これらによって、電動モータ９０の回転角度がゼロの状態では、第１クラッチ４０と第２クラッチ８０は、いずれもニュートラル状態であった。
【００６４】
これに対して、本実施形態のクラッチ機構１−２では、駆動側カムクラッチ板１０が正逆どちら向きにも回動していない初期位置で、第１クラッチピストン３０が第１クラッチ４０に当接して、第１クラッチ４０が若干押圧された状態となるように設定している。かつ、第２クラッチピストン７０が第２クラッチ８０に当接して、第２クラッチ８０が若干押圧された状態となるように設定している。これらによって、電動モータ９０の回転角度がゼロのとき、第１クラッチ４０と第２クラッチ８０は、いずれも半締結状態となるように設定されている。
【００６５】
すなわち、図１３のグラフに示すように、本実施形態のクラッチ機構１−２では、電動モータ９０の回転角度がゼロのとき、第１クラッチピストン３０と第２クラッチピストン７０のストローク量は、いずれも全ストローク量（クラッチ締結時のストローク量）の５０％となるように設定されており、この状態で、第１クラッチ４０と第２クラッチ８０がいずれも半締結状態になるように設定されている。そこから電動モータ９０が正方向に所定角度（+θ）回転すると、第１クラッチが完全締結（１００％締結）状態となる一方、逆方向に所定角度（−θ）回転すると、第２クラッチが完全締結（１００％締結）状態となる。
【００６６】
本実施形態のクラッチ機構１−２では、上記のように、電動モータ９０の回転角度がゼロのとき、第１クラッチピストン３０と第２クラッチピストン７０がいずれも半締結状態となるように設定したことで、第１クラッチ４０の締結状態から第２クラッチ８０の締結状態への切り替えを、ニュートラル状態を介さずに行えるようになる。したがって、いわゆるトルク抜けが発生し難くなる。なお、この場合、クラッチ機構１−２では、第１、第２クラッチ４０，８０を解放状態にすることはできないが、第１、第２クラッチ４０，８０の下流側に設置した同期装置１１２，１２１のいずれかを解放することで、第１、第２クラッチ４０，８０のニュートラル状態と同様の作用を得ることができる。
【００６７】
以上、本発明の実施形態を説明したが、本発明は上記実施形態に限定されるものではなく、特許請求の範囲、及び明細書と図面に記載された技術的思想の範囲内において種々の変形が可能である。例えば、上記実施形態では、駆動側カムクラッチ板の両側にそれぞれ第１クラッチ機構と第２クラッチ機構を配置したツインクラッチ装置を例示したが、本発明にかかるクラッチ機構は、駆動側カムクラッチ板の一方の側に設けた単一のクラッチ機構のみで構成することも可能である。
【００６８】
また、本発明にかかるクラッチ機構が備えるカムやカム溝の具体的な形状は、上記の実施形態に示すものには限定されない。また、上記実施形態では、カム溝を駆動側カムクラッチ板に設け、該カム溝に対応する突起部を従動側カムクラッチ板に形成した場合を示したが、これとは逆に、カム溝を従動側カムクラッチ板に設け、突起部を駆動側カムクラッチ板に設けてもよい。さらにいえば、カム溝に対応する突起部は、省略することも可能である。
【符号の説明】
【００６９】
１，１−２  クラッチ機構
１ａ  第１クラッチ機構
１ｂ  第２クラッチ機構
１０  駆動側カムクラッチ板
１０ａ  側面（右側面）
１０ｂ  側面（左側面）
１１ａ  ベアリング
１２  ギヤ（ピニオンギヤ）
１３  第１カム溝
１３ａ  底面（傾斜面）
１５  第２カム溝
１５ａ  底面(傾斜面)
２０  第１従動側カムクラッチ板
２０ａ  側面
２３  突起部
２３ａ  上面（傾斜面）
２４  第１係止溝（係止部）
２７  第１カム
３０  第１クラッチピストン
４０  第１クラッチ
６０  第２従動側カムクラッチ板
６０ａ  側面
６５  第２突起部
６６  第２係止溝（係止部）
６７  第２カム
７０  第２クラッチピストン
８０  第２クラッチ
９０  電動モータ（駆動源）
９３  伝達機構
９４  ネジ軸
９５  ラック
１００  変速機
１０１  エンジン
１０２  主軸
１０３  駆動ギヤ
１１０  第１入力軸
１２０  第２入力軸
１３０  出力軸
【図１】
2011169374.tif 000003
【図２】
2011169374.tif 000004
【図３】
2011169374.tif 000005
【図４】
2011169374.tif 000006
【図５】
2011169374.tif 000007
【図６】
2011169374.tif 000008
【図７】
2011169374.tif 000009
【図８（ａ）】
2011169374.tif 000010
【図８（ｂ）】
2011169374.tif 000011
【図８（ｃ）】
2011169374.tif 000012
【図９（ａ）】
2011169374.tif 000013
【図９（ｂ）】
2011169374.tif 000014
【図９（ｃ）】
2011169374.tif 000015
【図１０（ａ）】
2011169374.tif 000016
【図１０（ｂ）】
2011169374.tif 000017
【図１０（ｃ）】
2011169374.tif 000018
【図１１】
2011169374.tif 000019
【図１２】
2011169374.tif 000020
【図１３】
2011169374.tif 000021